(57)【要約】【課題】適切な深耕作業ができる深耕作業機を提供する。【解決手段】深耕作業機１は、走行車に連結可能な連結部２を有する機枠３とこの機枠３から下方に向って突出するアーム体１１を備える。アーム体１１の下端部には下端破砕体２１を設ける。アーム体１１には、前面に斜め左前方向を向いた縦長湾曲面状の作業面３１で下端破砕体２１からの土を受け入れて持ち上げて左側方に反転放てきする左土作業体３２を前後位置調節可能に設ける。アーム体１１には、前面に斜め右前方向を向いた縦長湾曲面状の作業面３３で下端破砕体２１からの土を受け入れて持ち上げて右側方に反転放てきする右土作業体３４を前後位置調節可能に設ける。【選択図】        図１
2004173581.tif 000002
【特許請求の範囲】
【請求項１】
走行車に連結される連結部を有する機枠と、
この機枠から下方に向って突出するアーム体と、
このアーム体の下端部に設けられた下端破砕体と、
前記アーム体に設けられ、前面に斜め左前方向を向いた縦長湾曲面状の作業面を有し、その作業面にて前記下端破砕体からの土を受け入れて持ち上げて左側方に反転放てきする左土作業体と、
前記アーム体に設けられ、前面に斜め右前方向を向いた縦長湾曲面状の作業面を有し、その作業面にて前記下端破砕体からの土を受け入れて持ち上げて右側方に反転放てきする右土作業体と
を備えたことを特徴とする深耕作業機。
【請求項２】
走行車に連結される連結部を有する機枠と、
この機枠から下方に向って突出するアーム体と、
このアーム体の下端部に設けられた下端破砕体と、
前記アーム体に設けられ、前面に斜め左前方向を向いた縦長湾曲面状の作業面を有し、その作業面にて前記下端破砕体からの土を受け入れて持ち上げて左側方に反転放てきする左土作業体と、
前記アーム体に前記左土作業体と離間した状態に設けられ、前面に斜め右前方向を向いた縦長湾曲面状の作業面を有し、その作業面にて前記下端破砕体からの土を受け入れて持ち上げて右側方に反転放てきする右土作業体と、
前記アーム体に前記両土作業体間に位置するように設けられ、前面に前方向を向いた縦長湾曲面状の作業面を有し、その作業面にて前記下端破砕体からの土を受け入れて持ち上げて反転放てきする中央作業体と
を備えたことを特徴とする深耕作業機。
【請求項３】
左土作業体および右土作業体の少なくともいずれか一方は、アーム体に前後位置調節可能に設けられている
ことを特徴とする請求項１または２記載の深耕作業機。
【発明の詳細な説明】
【０００１】
【発明の属する技術分野】
本発明は、適切な深耕作業ができる深耕作業機に関する。
【０００２】
【従来の技術】
従来は、例えば、走行車であるトラクタに連結される連結部を有する機枠と、機枠から下方に向って突出するアーム体と、アーム体の下端部に設けられた下端破砕体（チゼル）と、アーム体に設けられ一側方に向ってねじられた排出曲面を上端側に有しその排出曲面にて下端破砕体からの土を受け入れて持ち上げて一側方に反転放てきする土作業体とを備えた深耕作業機が知られている（例えば、特許文献１参照。）。
【０００３】
【特許文献１】
特開２００１−１４８９０１号公報（第４頁、図４）
【０００４】
【発明が解決しようとする課題】
しかしながら、上記従来の深耕作業機のように土作業体の排出曲面によって土を一側方に反転放てきする構成では、土を左右両側方に分けて反転放てきできず、適切な深耕作業ができないおそれがある。
【０００５】
本発明は、このような点に鑑みなされたもので、適切な深耕作業ができる深耕作業機を提供することを目的とする。
【０００６】
【課題を解決するための手段】
請求項１記載の深耕作業機は、走行車に連結される連結部を有する機枠と、この機枠から下方に向って突出するアーム体と、このアーム体の下端部に設けられた下端破砕体と、前記アーム体に設けられ、前面に斜め左前方向を向いた縦長湾曲面状の作業面を有し、その作業面にて前記下端破砕体からの土を受け入れて持ち上げて左側方に反転放てきする左土作業体と、前記アーム体に設けられ、前面に斜め右前方向を向いた縦長湾曲面状の作業面を有し、その作業面にて前記下端破砕体からの土を受け入れて持ち上げて右側方に反転放てきする右土作業体とを備えたものである。
【０００７】
そして、左土作業体および右土作業体を備えるものであるから、土を左右両側方に分けて反転放てきすることができるため、従来に比べて適切な深耕作業が行われる。
【０００８】
請求項２記載の深耕作業機は、走行車に連結される連結部を有する機枠と、この機枠から下方に向って突出するアーム体と、このアーム体の下端部に設けられた下端破砕体と、前記アーム体に設けられ、前面に斜め左前方向を向いた縦長湾曲面状の作業面を有し、その作業面にて前記下端破砕体からの土を受け入れて持ち上げて左側方に反転放てきする左土作業体と、前記アーム体に前記左土作業体と離間した状態に設けられ、前面に斜め右前方向を向いた縦長湾曲面状の作業面を有し、その作業面にて前記下端破砕体からの土を受け入れて持ち上げて右側方に反転放てきする右土作業体と、前記アーム体に前記両土作業体間に位置するように設けられ、前面に前方向を向いた縦長湾曲面状の作業面を有し、その作業面にて前記下端破砕体からの土を受け入れて持ち上げて反転放てきする中央作業体とを備えたものである。
【０００９】
そして、左土作業体、右土作業体および中央作業体を備えるものであるから、下端破砕体からの土を効果的に持ち上げることができ、土を左右両側方に分けて反転放てきすることができるため、従来に比べて適切な深耕作業が行われる。
【００１０】
請求項３記載の深耕作業機は、請求項１または２記載の深耕作業機において、左土作業体および右土作業体の少なくともいずれか一方は、アーム体に前後位置調節可能に設けられているものである。
【００１１】
そして、左土作業体および右土作業体の少なくともいずれか一方がアーム体に前後位置調節可能に設けられているため、土質等の圃場状態が異なる圃場に適切に対応する。
【００１２】
【発明の実施の形態】
以下、本発明の深耕作業機の第１の実施の形態の構成を図面を参照して説明する。
【００１３】
図１において、１は深耕作業機で、この深耕作業機１は、走行車であるトラクタ（図示せず）の後部に脱着可能に連結され、このトラクタの走行により圃場を進行方向前方に移動しながら深い位置の土（例えば心土層・耕盤層の土等）まで耕耘し、下層土と上層土とを混ぜて表土である作土の排水効果および客土効果等を得るものである。
【００１４】
この深耕作業機１は、トラクタの後部の作業機連結部（例えば３点リンク等）に脱着可能に連結される連結部２を有する機枠３を備え、この機枠３の左右方向両端部に進行方向左側の左作業部４および進行方向右側の右作業部５が設けられている。
【００１５】
なお、左作業部４と右作業部５とは、左右対称に構成されている点が異なるのみで基本的構成は同一であるため、左作業部４を中心にその構成を説明する。右作業部５の構成は左作業部４と同一符号を付してその説明を省略する。
【００１６】
左作業部４は、図１および図２に示すように、機枠３の左端部に高さ位置調節可能に設けられた上下方向に長手状の１本の金属製のアーム体（シャンク）１１を備えている。このアーム体１１は、機枠３の左端部から下方に向って突出している。
【００１７】
このアーム体１１は、上下方向に長手方向を有する細長板状に形成され、下端ほど前方に位置するように上下方向中間で曲がっている。また、このアーム体１１の板厚方向が左右方向に一致しかつ幅方向が前後方向に一致している。
【００１８】
なお、このアーム体１１には、図３に示すように、作業体用孔（例えば２つ）１２および破砕体用孔（例えば２つ）１３が形成されているとともに、スタンド１４を取り付けるためのスタンド用孔（例えば２つ）１５および補助作業体（例えばウイング或いはサブソイラ等）１７を取り付けるための補助作業体用孔（例えば５つ）１８が形成されている。
【００１９】
また、左作業部４は、図１および図２に示すように、アーム体１１の下端部に着脱可能に設けられた金属製の破砕爪である下端破砕体（チゼル）２１を備えている。
【００２０】
この下端破砕体２１は、アーム体１１の下端部に取付具（例えばボルトおよびナット等）２２を介して取り付けられた左右一対の取付板部２３を有している。この取付板部２３には、前下がり傾斜状で下端側が尖った破砕板部２４が一体的に設けられている。この破砕板部２４の前面には、側方に向って傾斜することなくまっすぐ前方向を向いて破砕作業をする破砕作業面２５が形成されている。
【００２１】
また、この破砕板部２４の上端部には、この破砕板部２４の上端部から後斜め下方に向って突出した支持板部２６が一体的に設けられている。この支持板部２６には、板厚方向に貫通した左右一対の支持用孔部２７が形成されている（図６参照）。
【００２２】
さらに、左作業部４は、図１および図２に示すように、前面にやや斜め左前方向を向いた縦長湾曲面状の作業面３１を有し、その作業面３１にて下端破砕体２１の破砕作業面２５の上端縁部左側からの土を受け入れて持ち上げて左側方に反転放てきする１ユニット状の左土作業体３２を備えている。
【００２３】
また、この左作業部４は、前面にやや斜め右前方向を向いた縦長湾曲面状の作業面３３を有し、その作業面３３にて下端破砕体２１の破砕作業面２５の上端縁部右側からの土を受け入れて持ち上げて右側方に反転放てきする１ユニット状の右土作業体３４を備えている。
【００２４】
そして、これら互いに左右に隣接した左土作業体３２および右土作業体３４の両方は、略矩形状の取付板３６、ボルト３７およびナット３８等にて構成された取付手段３９を介して、アーム体１１に前後位置調節可能に設けられている。
【００２５】
すなわち、例えば左土作業体３２および右土作業体３４の両方は、下端部が下端破砕体２１に当接してこの下端破砕体２１の支持板部２６にて支持された状態（例えば下端部の軸部３５が支持板部２６の支持用孔部２７に挿入支持された状態）のまま、取付板３６の取付位置の変更により前位置および後位置に設定可能（位置調節可能）となっている。
【００２６】
図１および図２に示す左作業部４は、左土作業体３２と右土作業体３４との間に段差ができるように、左土作業体３２が前位置に設定されかつ右土作業体３４が後位置に設定された状態である。図１に示す右作業部５は、左作業部４とは逆に、左土作業体３２が後位置に設定されかつ右土作業体３４が前位置に設定された状態である。なお、図４の２点鎖線で示すように、左土作業体３２および右土作業体３４の両方を前位置または後位置に設定したり、左土作業体３２を後位置に設定しかつ右土作業体３４を前位置に設定したりすることもできる。
【００２７】
ここで、図５等に示すように、左土作業体３２および右土作業体３４は、左右対称のもので、例えば金属製の保持部材４１および細長状をなす合成樹脂製の作業部材４２を備えている。
【００２８】
この保持部材４１は、アーム体１１に取付手段３９を介して板厚方向が左右方向に一致した状態に取り付けられる取付板部４３を有している。この取付板部４３の前端縁部には、縦長湾曲板状の保持板部４４が取付板部４３の前端縁部に沿って取付板部４３に対して傾斜状に一体的に設けられている。なお、この保持板部４４の下端部後面には、支持板部２６の支持用孔部２７に挿入支持された軸部３５が一体的に設けられている。
【００２９】
そして、保持部材４１の保持板部４４にこの保持板部４４の前面に沿って作業部材４２が着脱可能に取り付けられ、この保持板部４４にて作業部材４２が保持され、この作業部材４２の前面が破砕作業面２５に連続的に位置して破砕作業面２５からの土を受け入れて持ち上げて側方に反転放てきする全体として前下がり傾斜状の作業面３１，３３となっている。
【００３０】
なお、作業部材４２は、例えば土が付着しにくい合成樹脂にて保持部材４１の保持板部４４に対応した比較的肉厚の縦長湾曲板状に一体に形成されたもので、後面全体が保持板部４４に面接触し、前面全体が作業面３１，３３となっている。
【００３１】
また、保持部材４１の取付板部４３の上端部には取付板３６を取り付けるための孔（例えば２つ）４６が形成され、取付板３６には複数、例えば３つの孔４７が形成されている。
【００３２】
次に、上記第１の実施の形態の作用等を説明する。
【００３３】
深耕作業機１の連結部２をトラクタの後部の作業機連結部に連結し、深耕作業機１の左作業部４および右作業部５を作業機連結部の駆動により圃場の土中に差し込んだ状態で、深耕作業機１全体をトラクタの走行により前方に移動させる。
【００３４】
深耕作業機１全体が前方に移動すると、左作業部４の下端破砕体２１の破砕板部２４の破砕作業面２５にて心土層等の硬い土が破砕され、この破砕された土が、左土作業体３２の作業部材４２の作業面３１にて地上近傍の所定高さ位置まで持ち上げられて左側方に反転放てきされるとともに、左土作業体３２に近接した状態に設けられた右土作業体３４の作業部材４２の作業面３３にて地上近傍の所定高さ位置まで持ち上げられて右側方に反転放てきされる。
【００３５】
また同時に、右作業部５の下端破砕体２１の破砕板部２４の破砕作業面２５にて心土層等の硬い土が破砕され、この破砕された土が、左土作業体３２の作業部材４２の作業面３１にて地上近傍の所定高さ位置まで持ち上げられて左側方に反転放てきされるとともに、右土作業体３４の作業部材４２の作業面３３にて地上近傍の所定高さ位置まで持ち上げられて右側方に反転放てきされる。
【００３６】
なお、左土作業体３２および右土作業体３４の各位置は、土質等の圃場状態に応じて、取付板３６の取付位置の変更により、下端側を中心に前後回動させて上端側を前後移動させることで適宜設定する。
【００３７】
このようにして、上記第１の実施の形態の深耕作業機１によれば、左土作業体３２の斜め左前方向を向いた縦長湾曲面状の作業面３１と、左土作業体３２の側方位置にこの左土作業体３２と近接して配置された右土作業体３４の斜め右前方向を向いた縦長湾曲面状の作業面３３とによって、土を左右両側方に分けて反転放てきすることができるため、従来のような片側のみに放てきする深耕作業機に比べて、適切な深耕作業を行うことができ、よって、下層土と上層土とを効果的に混ぜることができ、作土の排水効果および客土効果等を十分に得ることができる。
【００３８】
また、左土作業体３２および右土作業体３４の両方を対応する１本のアーム体１１に対して前後位置調節可能に設けたものであるから、土質等の圃場状態が異なる圃場に適切に対応できる。例えば水分の多い圃場の場合は、左土作業体３２および右土作業体３４の各位置を前後にずらして設定し、左土作業体３２と右土作業体３４と間に段差をつくる。
【００３９】
次に、本発明の深耕作業機の第２の実施の形態について図７ないし図１２を参照して説明する。
【００４０】
この図７等に示す深耕作業機１は、図１等に示すものとは異なり、右土作業体３４がアーム体１１に左土作業体３２と離間した状態に設けられ、かつ、これら互いに左右に離間対向した両土作業体３２，３４間でアーム体１１の前方に位置し、前面に両作業面３１，３３よりやや前方に位置してまっすぐ前方向を向いた縦長湾曲面状の作業面５１を有し、その作業面５１にて下端破砕体２１の上端縁部からの土を受け入れて持ち上げて反転放てきする１ユニット状の中央作業体５２を備えている。
【００４１】
この中央作業体５２は、左土作業体３２等と同様、略矩形状の取付板３６、ボルト３７およびナット３８等にて構成された取付手段３９を介して、アーム体１１に前後位置調節可能に設けられている。なお、図７および図８に示す左作業部４および右作業部５は、いずれも、中央作業体５２と左右の両土作業体３２，３４との間に段差ができるように、中央作業体５２が前位置に設定されかつ左右の両土作業体３２，３４が後位置に設定された状態である。
【００４２】
また、この中央作業体５２は、左土作業体３２等とは異なり、取付板部４３の前端縁部に縦長湾曲板状の保持板部４４が取付板部４３の前端縁部に沿って取付板部４３に対して垂直状に一体的に設けられている。
【００４３】
さらに、この深耕作業機１の下端破砕体２１は、左右方向に並んだ３本の作業体３２，３４，５２に対応して幅広状に形成されている。すなわち、図６に示す下端破砕体２１の幅寸法は、左土作業体３２の作業面３１の幅寸法と右土作業体３４の作業面３３の幅寸法との和に略等しい値であるが、図１２に示す下端破砕体２１の幅寸法は、左土作業体３２の作業面３１の幅寸法と右土作業体３４の作業面３３の幅寸法と中央作業体５２の作業面の幅寸法との和に略等しい値になっている。
【００４４】
また、この図１２に示す下端破砕体２１には、左右方向に並んだ５つの支持用孔部２７が形成されており、中央作業体５２と左右の両土作業体３２，３４とを使用する場合は５つのうちの３つの支持用孔部２７にて３本の作業体３２，３４，５２を支持し、中央作業体５２を使用せず左右の両土作業体３２，３４のみを使用する場合は５つのうちの２つの支持用孔部２７にて２本の作業体３２，３４を支持するようになっている。なお、図７等に示す第２の実施の形態の深耕作業機１のその他の構成部材は、図１等に示す第１の実施の形態の構成部材と基本的に同一である。
【００４５】
そして、このような図７等に示す第２の実施の形態の深耕作業機１でも、土を左右両側方に分けて反転放てきすることができるため、従来のような片側のみに放てきする深耕作業機に比べて、適切な深耕作業を行うことができ、よって、下層土と上層土とを効果的に混ぜることができ、作土の排水効果および客土効果等を十分に得ることができる等、第１の実施の形態と同様の作用効果を奏することができる。
【００４６】
しかも、中央作業体５２の前方向を向いた縦長湾曲面状の作業面５１が左土作業体３２の作業面３１および右土作業体３４の作業面３３より前方に位置することから、中央の作業面５１と左右の作業面３１，３３との間に段差ができ、この段差により耕耘性を向上できる。
【００４７】
なお、上記実施の形態の深耕作業機１は、左右一対で２つの作業部４，５を備えた２本式の構成には限定されず、例えば、図示しないが、１本式、３本式、４本式等の構成とすることもできる。
【００４８】
【発明の効果】
請求項１の発明によれば、左土作業体および右土作業体を備えるものであるから、土を左右両側方に分けて反転放てきすることができるため、従来に比べて適切な深耕作業を行うことができる。
【００４９】
請求項２の発明によれば、左土作業体、右土作業体および中央作業体を備えるものであるから、下端破砕体からの土を効果的に持ち上げることができ、土を左右両側方に分けて反転放てきすることができるため、従来に比べて適切な深耕作業を行うことができる。
【００５０】
請求項３の発明によれば、左土作業体および右土作業体の少なくともいずれか一方がアーム体に前後位置調節可能に設けられているため、土質等の圃場状態が異なる圃場に適切に対応できる。
【図面の簡単な説明】
【図１】本発明の深耕作業機の第１の実施の形態を示す正面図である。
【図２】同上深耕作業機の左作業部の側面図である。
【図３】同上深耕作業機の左作業部の分解側面図である。
【図４】同上深耕作業機の左作業部の平面図である。
【図５】同上深耕作業機の左作業部の背面図である。
【図６】同上深耕作業機の下端破砕体の斜視図である。
【図７】本発明の深耕作業機の第２の実施の形態を示す正面図である。
【図８】同上深耕作業機の左作業部の側面図である。
【図９】同上深耕作業機の左作業部の分解側面図である。
【図１０】同上深耕作業機の左作業部の平面図である。
【図１１】同上深耕作業機の左作業部の背面図である。
【図１２】同上深耕作業機の下端破砕体の斜視図である。
【符号の説明】
１    深耕作業機
２    連結部
３    機枠
１１    アーム体
２１    下端破砕体
３１    作業面
３２    左土作業体
３３    作業面
３４    右土作業体
５１    作業面
５２    中央作業体
【図１】
2004173581.tif 000003
【図２】
2004173581.tif 000004
【図３】
2004173581.tif 000005
【図４】
2004173581.tif 000006
【図５】
2004173581.tif 000007
【図６】
2004173581.tif 000008
【図７】
2004173581.tif 000009
【図８】
2004173581.tif 000010
【図９】
2004173581.tif 000011
【図１０】
2004173581.tif 000012
【図１１】
2004173581.tif 000013
【図１２】
2004173581.tif 000014